(57)【要約】【課題】ユーザーの利便性を高めることができるスキャナー装置を提供する。【解決手段】媒体９５が挿入される読取用の挿入口６１を有し、＋Ｚ方向に面する上面２５と、上面２５に交差する方向に延びる前面２３と、読取用の挿入口６１から挿入される媒体９５を読み取る読取部と、読取部又は読取部と対向する領域を有する読取部カバー６８と、を備え、読取部カバー６８は、読取部による媒体９５の読み取りが可能な閉位置Ｐ１と、読取部による読取位置が開放される開位置と、に移動可能であり、読取部カバー６８が閉位置Ｐ１に位置するとき、読取部カバー６８の外表面は、前面２３に含まれる。【選択図】図７
2019172427.tif 000002
【特許請求の範囲】
【請求項１】
媒体が挿入される読取用の挿入口を有し、鉛直上方向に面する第１面と、
前記第１面に交差する方向に延びる第２面と、
前記読取用の挿入口から挿入される媒体を読み取る読取部と、
前記読取部又は前記読取部と対向する領域を有する読取部カバーと、を備え、
前記読取部カバーは、前記読取部による前記媒体の読み取りが可能な第１位置と、前記読取部による読取位置が開放される第２位置と、に移動可能であり、
前記読取部カバーが前記第１位置に位置するとき、前記読取部カバーの外表面は、前記第２面に含まれることを特徴とするスキャナー装置。
【請求項２】
ロール状に巻き重ねられた媒体を収容する収容部と、
収容部カバーと、を更に備え、
前記収容部カバーの外表面は、前記第１面に含まれる請求項１に記載のスキャナー装置。
【請求項３】
前記読取部カバーは、回動軸を中心として、前記第１位置と前記第２位置とに回動する請求項１又は２に記載のスキャナー装置。
【請求項４】
前記回動軸の軸方向に沿った前記読取部カバーの寸法は、前記軸方向と直交する方向に沿った前記読取部カバーの寸法よりも大きい請求項３に記載のスキャナー装置。
【請求項５】
前記読取用の挿入口から挿入される媒体を前記読取位置へ搬送する搬送ローラーを更に備え、
前記回動軸の軸方向は、前記搬送ローラーの軸方向と平行であり、
前記回動軸は、前記読取部カバーのうち、鉛直下方向側に位置し、
前記読取部カバーが前記第１位置に位置する場合に、前記読取部は、前記回動軸よりも鉛直上方向側に位置する請求項３又は４に記載のスキャナー装置。
【請求項６】
印刷媒体に印刷を行う印刷部を更に備え、
前記第２面は、前記印刷部によって印刷された前記印刷媒体が排出される印刷用の排出口を有する請求項１〜５の何れか一項に記載のスキャナー装置。
【発明の詳細な説明】
【技術分野】
【０００１】
本発明は、媒体を読み取るスキャナー装置に関する。
【背景技術】
【０００２】
従来から、媒体を読取可能に構成されたスキャナー装置が知られている。例えば、特許文献１には、装置の上部に設けられたスキャナー部と、スキャナー部によって読み取った画像を媒体に印刷する印刷部と、を有するスキャナー装置が開示されている。特許文献１に開示されたスキャナー装置は、スキャナー部を上方に開放することによって、装置内部の媒体の搬送経路を開放可能に構成されている。
【先行技術文献】
【特許文献】
【０００３】
【特許文献１】特開２００９−２７８２５７号公報
【発明の概要】
【発明が解決しようとする課題】
【０００４】
平面状である載置面がスキャナー装置の上部に存在することは、スキャナー装置を用いて読み取る媒体を載置すること、又はスキャナー装置の読み取り結果を確認するための端末機器などを載置することに有用である。
【０００５】
特許文献１に開示されたスキャナー装置において、スキャナー部の上部に上記載置面を設けることも考えられる。しかしながら、スキャナー部を上方に開放させる場合には、載置面を利用し難い。
【０００６】
また、スキャナー装置の上部において、スキャナー部と並ぶように上記載置面を設けることも考えられる。しかしながら、スキャナー装置は、スキャナー装置の外部から読取部に光が進入することを抑制するため、媒体の搬送経路のうち、読取部の前後を覆うのに十分な長さのカバーを備えることが好ましい。このため、載置面の面積を大きくすることが困難である。
【０００７】
本発明は、このような実情に鑑みてなされたものであり、その目的は、ユーザーの利便性を高めることができるスキャナー装置を提供することにある。
【課題を解決するための手段】
【０００８】
以下、上記課題を解決するための手段及びその作用効果について記載する。
上記課題を解決するスキャナー装置は、媒体が挿入される読取用の挿入口を有し、鉛直上方向に面する第１面と、前記第１面に交差する方向に延びる第２面と、前記読取用の挿入口から挿入される媒体を読み取る読取部と、前記読取部又は前記読取部と対向する領域を有する読取部カバーと、を備え、前記読取部カバーは、前記読取部による前記媒体の読み取りが可能な第１位置と、前記読取部による読取位置が開放される第２位置と、に移動可能であり、前記読取部カバーが前記第１位置に位置するとき、前記読取部カバーの外表面は、前記第２面に含まれる。
【０００９】
この構成によれば、読取部カバーを第１位置から第２位置に移動させることによって、読取部による読取位置を開放させることができる。このため、読取部のメンテナンス、又は媒体詰りを解消させる処置などが容易になる。そして、読取部カバーの外表面は、鉛直上方向に面する第１面と交差する方向に延びる第２面に含まれる。即ち、読取部カバーは、スキャナー装置において、鉛直方向と交差する方向における端部を構成する。したがって、載置面として利用可能な第１面の面積を大きくすることが可能になる。よって、ユーザーの利便性を高めることができる。
【００１０】
上記スキャナー装置において、ロール状に巻き重ねられた媒体を収容する収容部と、収容部カバーと、を更に備え、前記収容部カバーの外表面は、前記第１面に含まれる。
この構成によれば、読取部カバーの外表面が第２面に含まれることから、読取部カバーを第２位置へと移動させる場合であっても、収容部カバーに対するアクセスの邪魔になることが抑制される。
【００１１】
上記スキャナー装置において、前記読取部カバーは、回動軸を中心として、前記第１位置と前記第２位置とに回動する。
この構成によれば、読取部カバーをスライドさせるようにして移動させる構成に比して、読取部カバーの移動が簡単にできる。
【００１２】
上記スキャナー装置において、前記回動軸の軸方向に沿った前記読取部カバーの寸法は、前記軸方向と直交する方向に沿った前記読取部カバーの寸法よりも大きい。
この構成によれば、読取部カバーを回動させる場合に必要となる空間を小さくすることができる。
【００１３】
上記スキャナー装置において、前記読取用の挿入口から挿入される媒体を前記読取位置へ搬送する搬送ローラーを更に備え、前記回動軸の軸方向は、前記搬送ローラーの軸方向と平行であり、前記回動軸は、前記読取部カバーのうち、鉛直下方向側に位置し、前記読取部カバーが前記第１位置に位置する場合に、前記読取部は、前記回動軸よりも鉛直上方向側に位置する。
【００１４】
この構成によれば、読取部よりも鉛直下方向側にある軸を中心として読取部カバーが回動する。即ち、読取部カバーは、重力方向に回動する。このため、読取部カバーが第２位置にある状態を維持するために、特別な機構を設ける必要がなくなる。
【００１５】
上記スキャナー装置において、印刷媒体に印刷を行う印刷部を更に備え、前記第２面は、前記印刷部によって印刷された前記印刷媒体が排出される印刷用の排出口を有する。
この構成によれば、印刷用の排出口は、読取部カバーの外表面が含まれる第２面に設けられる。このため、ユーザーは、読取部カバーと、印刷部によって印刷された印刷媒体とを、同じ方向側から取り扱うことができる。
【図面の簡単な説明】
【００１６】
【図１】読取部カバーが閉位置に位置する状態にあるスキャナー装置の斜視図。
【図２】読取部カバーが開位置に位置する状態にあるスキャナー装置の斜視図。
【図３】図１における３−３線矢視断面図。
【図４】図２の一部を拡大して示す斜視図。
【図５】図３の一部を拡大して示す断面図。
【図６】スキャナー装置の電気的構成を示すブロック図。
【図７】スキャナー装置の使用状態の一例を示す斜視図。
【図８】スキャナー装置の使用状態の一例を示す斜視図。
【図９】第１変更例のスキャナー装置を示す模式図。
【図１０】第２変更例及び第３変更例のスキャナー装置を示す模式図。
【図１１】読取用の排出口における媒体の排出方向を示す模式図。
【発明を実施するための形態】
【００１７】
以下、スキャナー装置の一実施形態について説明する。
本実施形態のスキャナー装置は、読取機能に加えて、印刷機能を備えた複機能装置として構成されている。本実施形態のスキャナー装置において、印刷機能は、用紙などの媒体に液体の一例であるインクを吐出することにより印刷を行うインクジェット方式によって実現されている。
【００１８】
図１〜図３に示すように、スキャナー装置１１は、本体部１２と、本体部１２を支持する脚部１３と、を備える。本体部１２は、高さ、奥行及び幅としてそれぞれ所定の長さを有する。本実施形態において、幅方向と奥行方向は実質的に水平であり、スキャナー装置１１は、水平面上に置かれているものとする。そして、鉛直方向をＺ軸で、奥行方向をＹ軸で、幅方向をＺ軸及びＹ軸と交差するＸ軸で、それぞれ示す。Ｘ軸、Ｚ軸及びＹ軸は、それぞれ幅、高さ及び奥行の長さを示す座標軸となる。
【００１９】
以下の説明では、幅方向をＸ軸方向と示し、Ｘ軸方向のうち一方の方向を＋Ｘ方向と示し、Ｘ軸方向のうち他方の方向を−Ｘ方向と示す。奥行方向をＹ軸方向と示し、Ｙ軸方向のうち一方の方向を第１方向の一例である＋Ｙ方向と示し、Ｙ軸方向のうち他方の方向を第２方向の一例である−Ｙ方向と示す。また、鉛直方向をＺ軸方向と示し、鉛直下方向を−Ｚ方向と示し、鉛直上方向を＋Ｚ方向と示す。
【００２０】
以下の説明では、説明の便宜のため、上、下、左、右、前、及び後と示す場合がある。これらの方向は、スキャナー装置１１の＋Ｙ方向側にユーザーがいると仮定したときに、そのユーザーを基準とした各方向を示すものとする。
【００２１】
本体部１２は、＋Ｘ方向に面する左側面２１と、−Ｘ方向に面する右側面２２と、＋Ｙ方向に面する第２面の一例である前面２３と、−Ｙ方向に面する後面２４と、＋Ｚ方向に面する第１面の一例である上面２５と、−Ｚ方向に面する下面２６と、を有する。前面２３は、上面２５に交差する方向に延びる。本体部１２は、略四角箱のような形状である。
【００２２】
本体部１２は、外装体２８を有する。外装体２８は、＋Ｘ方向に面する左側面２８１と、−Ｘ方向に面する右側面２８２と、＋Ｙ方向に面する前面２８３と、−Ｙ方向に面する後面２８４と、＋Ｚ方向に面する上面２８５と、−Ｚ方向に面する下面２８６と、を有する。外装体２８の上面２８５は、Ｘ軸方向及びＹ軸方向に沿って延びる平面を構成する。
【００２３】
外装体２８は、上面２８５において、本体部１２の内部を視認可能にする覗き窓２９を有する。覗き窓２９は、Ｙ軸方向に所定の奥行を有するとともに、Ｘ軸方向に沿って延びている。覗き窓２９は、外装体２８において、＋Ｚ方向に開口する覗き孔３０と、覗き孔３０を覆うことができる覗き孔カバー３１と、を有する。
【００２４】
本実施形態の覗き孔カバー３１は、外装体２８の内部を視認可能とするように、透明な材料製である。なお、覗き孔カバー３１は、半透明であってもよく、不透明であってもよい。覗き孔カバー３１は、Ｘ軸方向に沿って延びる覗き孔カバー軸３２を中心に回動可能に構成されている（図３参照）。覗き孔カバー３１を＋Ｚ方向側の開位置に回動させると、覗き孔３０が開かれる。覗き孔カバー３１を−Ｚ方向側の閉位置に回動させると、覗き孔３０が閉じられる。覗き孔カバー３１は、＋Ｚ方向に面する上面３１１を有する。覗き孔カバー３１が閉位置にあるとき、上面３１１は、Ｘ軸方向及びＹ軸方向に沿って延びる平面を構成する。
【００２５】
本体部１２は、インク等の液体を収容する液体収容体（図示略）を着脱可能に保持する保持部３３と、スキャナー装置１１を操作するための操作部３４と、長尺状である印刷用の媒体９０を収容可能な収容部３５と、を備える。収容部３５は、本体部１２において、−Ｙ方向側の端部に設けられている。以下の説明では、単に媒体９０と示す場合、印刷用の媒体９０を意味する。媒体９０は、印刷媒体の一例である。
【００２６】
収容部３５は、媒体９０がロール状に巻き重ねられることにより形成された媒体ロール９１を収容可能な収容空間３６を有する（図３参照）。収容空間３６は、＋Ｚ方向に開口する。収容部３５は、収容空間３６内において、媒体ロール９１の軸線を中心として回転可能となるように、媒体ロール９１を支持する支持部３７を有する。媒体９０は、媒体ロール９１が回転することによって、繰り出される。
【００２７】
本体部１２は、収容部３５の収容空間３６を覆うことが可能な収容部カバー４０を有する。収容部カバー４０は、第１収容部カバー４１と、第２収容部カバー４２と、を有する。第１収容部カバー４１は、収容空間３６の開口部のうち、−Ｙ方向側の部分を覆うことができる。第２収容部カバー４２は、収容空間３６の開口部のうち、＋Ｙ方向側の部分を覆うことができる。
【００２８】
第１収容部カバー４１は、−Ｙ方向側の端部にある軸部４１１を中心に、Ｙ軸方向に沿って回動可能である（図１参照）。軸部４１１の軸線は、Ｘ軸方向に沿って延びる。第１収容部カバー４１を−Ｙ方向側の開位置に回動させると、収容空間３６が開かれる。第１収容部カバー４１を＋Ｙ方向側の閉位置に回動させると、収容空間３６が閉じられる。
【００２９】
第２収容部カバー４２は、−Ｙ方向側の端部にある軸部４２１を中心として、Ｙ軸方向に沿って回動可能である。また、本体部１２は、Ｘ軸方向における収容部３５の外側に隣り合う位置において、＋Ｚ方向に突出するカバー支持部４３を有する（図１参照）。カバー支持部４３は、軸部４１１、及び軸部４２１を支持する。また、カバー支持部４３は、支持部３７を支持する。カバー支持部４３は、収容部３５の＋Ｘ方向側にある左カバー支持部４３１と、−Ｘ方向側にある右カバー支持部４３２と、を有する。左カバー支持部４３１及び右カバー支持部４３２は、Ｙ軸方向に沿って延びる壁状の部分である。
【００３０】
第２収容部カバー４２を、＋Ｙ方向側の開位置へ（図３において時計回りの方向に）回動させると、収容空間３６が開かれる。第２収容部カバー４２を、−Ｙ方向側の閉位置へ（図３において反時計回りの方向に）回動させると、収容空間３６が閉じられる。
【００３１】
なお、図１〜図３には、第１収容部カバー４１及び第２収容部カバー４２が閉位置にある状態が示されている。第１収容部カバー４１及び第２収容部カバー４２を回動させることによって、収容空間３６が開かれると、媒体ロール９１の交換が可能になる。
【００３２】
第１収容部カバー４１が閉じられた状態において、第１収容部カバー４１の外表面４１２は、＋Ｚ方向に面する平面を構成する。第２収容部カバー４２が閉じられた状態において、第２収容部カバー４２の外表面４２２は、−Ｙ方向に向かうほど＋Ｚ方向に上がる傾斜面を構成する。
【００３３】
図３に示すように、スキャナー装置１１は、収容部３５に収容される媒体ロール９１から繰り出される媒体９０を搬送する印刷用の搬送部４５を備える。印刷用の搬送部４５は、印刷用の搬送ローラー４６と、印刷用の搬送ローラー４６を駆動する印刷用の搬送モーター（不図示）と、を有する。以下の説明では、単に搬送部４５と示す場合、印刷用の搬送部４５を意味する。
【００３４】
スキャナー装置１１は、媒体９０に印刷を行う印刷部５０を備える。媒体９０は、搬送部４５によって、印刷部５０に搬送される。印刷部５０は、Ｘ軸方向に沿って延びるガイド軸５１と、ガイド軸５１に支持された移動体５２と、移動体５２をガイド軸５１に沿って往復移動させる印刷モーター（不図示）と、を有する。印刷部５０は、移動体５２の−Ｚ方向側に取り付けられた液体吐出ヘッド５４を有する。
【００３５】
搬送部４５によって搬送される媒体９０は、液体吐出ヘッド５４の−Ｚ方向側をＹ軸方向に沿って通過する。液体吐出ヘッド５４は、Ｘ軸方向に沿って往復移動されながら、−Ｚ方向に液体を吐出する。スキャナー装置１１では、液体吐出ヘッド５４から液体が吐出され、液体が媒体９０に付着することによって、印刷が行われる。
【００３６】
本実施形態の液体吐出ヘッド５４は、シリアル型のヘッドであるが、これに限らず、Ｘ軸方向において、媒体９０の全体に跨ることが可能に延びるライン型のヘッドであってもよい。本実施形態において、収容部３５、搬送部４５、及び印刷部５０は、印刷機能部１８を構成している。
【００３７】
本体部１２は、印刷部５０によって印刷された媒体９０が排出される印刷用の排出口５５を有する。印刷用の排出口５５は、本体部１２の前面２３において＋Ｙ方向に開口する。印刷用の排出口５５は、Ｘ軸方向に沿って延びる。以下の説明では、単に排出口５５と示す場合、印刷用の排出口５５を意味する。
【００３８】
本体部１２は、排出口５５の−Ｚ方向側にガイド板５６を備える。ガイド板５６は、本体部１２の前面２３において＋Ｙ方向に突出している。ガイド板５６は、＋Ｚ方向に面するガイド面５６１を有する。ガイド面５６１は、＋Ｙ方向に向かうほど−Ｚ方向に下るように傾斜している。
【００３９】
印刷部５０によって印刷された媒体９０は、排出口５５から排出されるときに、ガイド面５６１にガイドされる。このため、排出口５５における媒体９０の排出方向Ｄ１は、Ｘ軸方向と直交し、Ｙ軸方向と交差し、且つ−Ｚ方向に傾いた方向となる。即ち、印刷部５０によって印刷された媒体９０が排出口５５から排出される方向は、＋Ｙ方向側の方向となる。なお、本実施例においては、ある方向が、所定の方向の成分を含む場合に、所定の方向側の方向である、とする。すなわち、媒体９０が排出口５５から排出される方向は、＋Ｙ方向の成分を含む。
【００４０】
図１〜図５に示すように、本体部１２は、読取用の媒体９５を読み取る読取機能部６０を備える。以下の説明では、単に媒体９５と示す場合、読取用の媒体９５を意味する。媒体９５は、読取媒体の一例である。媒体９５は、読取機能部６０による読み取りの対象物である。読取機能部６０は、本体部１２における＋Ｙ方向側の端部に設けられている。読取機能部６０は、Ｘ軸方向に沿って延びている箱状である。
【００４１】
読取機能部６０の概略について説明する。
図５に示すように、読取機能部６０は、媒体９５が挿入される読取用の挿入口６１と、読取用の挿入口６１から挿入された媒体９５を搬送方向に沿って搬送する読取用の搬送部６２と、搬送部６２によって搬送される媒体９５を読み取る読取部６３と、読取部６３によって読み取られた媒体９５が排出される読取用の排出口６４と、を有する。以下の説明では、単に挿入口６１と示す場合、読取用の挿入口６１を意味し、単に搬送部６２と示す場合、読取用の搬送部６２を意味し、単に排出口６４と示す場合、読取用の排出口６４を意味する。
【００４２】
読取機能部６０は、本体部１２の＋Ｙ方向側の端部に固定された固定部６７と、固定部６７に対して開閉可能に支持された読取部カバー６８と、を有する。挿入口６１、搬送部６２、読取部６３、及び排出口６４は、固定部６７及び読取部カバー６８の一方に設けられた部材、又は両方に分割して設けられた部材によって構成される。また、読取機能部６０において、媒体９０が通過する搬送経路は、読取部カバー６８が閉じられた状態において、固定部６７と読取部カバー６８との間の空間として構成される。
【００４３】
以下、読取機能部６０の構造について詳細に説明する。
図１及び図２に示すように、読取部カバー６８は、Ｘ軸方向に沿って延びる四角板状である。読取部カバー６８は、＋Ｚ方向に面する上面６８１と、＋Ｙ方向に面する外表面の一例である前面６８２と、−Ｚ方向に面する下面６８４と、を有する。
【００４４】
読取部カバー６８は、上面６８１に、ユーザーが挿入口６１に対する媒体９５の挿入位置を決定することを補助するための補助記号６８５を有する。補助記号６８５は、読取部カバー６８の上面６８１に、印刷により形成されていてもよく、凹部又は凸部として形成されていてもよい。補助記号６８５は、ユーザーが挿入口６１に媒体９５を挿入するときの目安となる位置を示す。
【００４５】
補助記号６８５は、読取部６３における読み取り範囲のうちＸ軸方向における中央からの距離を示す記号の一例である目盛り、及び媒体９５の規格寸法ごとに、媒体９５のＸ軸方向における端部を配置すべき位置を示す記号の一例である文字又は図形のうち、何れか一方であってもよく、両方であってもよい。また、Ｘ軸方向における端部からの距離を示す記号として目盛りが設けられてもよい。
【００４６】
読取部カバー６８は、＋Ｘ方向及び−Ｘ方向にそれぞれ延びる回動軸の一例であるカバー軸６８３を有する。つまり、カバー軸６８３の軸線は、Ｘ軸方向に沿って延びる。カバー軸６８３は、読取部カバー６８のうち、−Ｚ方向側に位置する。カバー軸６８３は、読取部カバー６８のうち、−Ｚ方向側の端部に位置してもよい。読取部カバー６８は、カバー軸６８３の軸線を中心として、Ｚ軸方向に沿って回動するように移動可能に支持されている。
【００４７】
読取部カバー６８を＋Ｚ方向側における第１位置の一例である閉位置Ｐ１に回動させると、固定部６７が読取部カバー６８により覆われることによって、媒体９５の搬送経路が閉じられる（図１参照）。閉位置Ｐ１は、読取部６３による媒体９５の読み取りが可能な位置である。読取部カバー６８を−Ｚ方向側における第２位置の一例である開位置Ｐ２に回動させると、固定部６７が開かれることによって、媒体９５の搬送経路が開かれる（図２参照）。開位置Ｐ２は、搬送経路における読取部６３による媒体９５の読取位置が開放される位置である。
【００４８】
読取部カバー６８が閉じられた状態において、上面６８１は、＋Ｚ方向に面する平面を構成し、前面６８２は、＋Ｙ方向に面する平面を構成する。なお、読取部カバー６８が開かれた状態において、上面６８１は、＋Ｙ方向に面し、前面６８２は、−Ｚ方向に面するようになる。読取部カバー６８において、カバー軸６８３の軸方向の一例であるＸ軸方向に沿った寸法Ｌ２は、軸方向と直交する方向の一例であるＺ軸方向に沿った寸法Ｌ１よりも大きい（図１参照）。
【００４９】
図４及び図５に示すように、挿入口６１は、固定部６７が有する固定側ガイド面７０と、読取部カバー６８が有するカバー側ガイド面７１とによって、Ｚ軸方向に挟まれた空間として形成されている。挿入口６１は、読取機能部６０において、＋Ｚ方向に開口する。つまり、挿入口６１は、本体部１２の上面２５に設けられている。
【００５０】
固定側ガイド面７０は、覗き窓２９の＋Ｙ方向側に隣り合う第１部分７０１と、第１部分７０１の＋Ｙ方向側の部分に繋がる第２部分７０２と、を有する。第１部分７０１は、Ｘ軸方向及びＹ軸方向に沿って延びる平面を構成する。第２部分７０２は、＋Ｙ方向に向かうほど−Ｚ方向に下がるように傾斜する。
【００５１】
カバー側ガイド面７１は、読取部カバー６８において、固定部６７における固定側ガイド面７０と対向する位置に設けられる（図５参照）。カバー側ガイド面７１は、−Ｚ方向に面する。固定側ガイド面７０及びカバー側ガイド面７１は、読取機能部６０における媒体９５の搬送方向における上流側において最も相互に離間しており、搬送方向における下流側に向かうほど相互に近接する。挿入口６１における媒体９５の挿入方向Ｄ３は、−Ｚ方向側の方向である。
【００５２】
読取機能部６０において、搬送部６２は、第１搬送機構７３と、第１搬送機構７３よりも媒体９５の搬送方向における下流側にある第２搬送機構７７と、を有する。また、搬送部６２は、第１搬送機構７３及び第２搬送機構７７を駆動する読取用の駆動モーター６２１を有する（図５参照）。
【００５３】
第１搬送機構７３は、第１駆動ローラー７４と、第１従動ローラー７５と、第２従動ローラー７６と、を有する。第１駆動ローラー７４は、固定部６７に設けられている。第１従動ローラー７５及び第２従動ローラー７６は、読取部カバー６８に設けられている。
【００５４】
読取部カバー６８が閉じられた状態において、第１従動ローラー７５及び第２従動ローラー７６は、第１駆動ローラー７４と対向する。第１従動ローラー７５は、第２従動ローラー７６よりも媒体９５の搬送方向における上流側に設けられる。
【００５５】
第１駆動ローラー７４は、Ｘ軸方向に沿って延びる第１駆動軸７４１の軸線を中心として回転可能に支持されている。本実施形態の第１駆動ローラー７４は、第１駆動軸７４１と共に回転可能な複数の第１駆動回転体７４２を有する。複数の第１駆動回転体７４２は、Ｘ軸方向に沿って所定の間隔を空けて並ぶ。第１駆動ローラー７４は、駆動モーター６２１によって駆動される。
【００５６】
第１従動ローラー７５は、Ｘ軸方向に沿って延びる第１従動軸７５１の軸線を中心として回転可能に支持されている。第１従動ローラー７５は、第１従動軸７５１と共に回転可能な複数の第１従動回転体７５２を有する。複数の第１従動回転体７５２は、Ｘ軸方向に沿って所定の間隔を空けて並ぶ。なお、第１従動ローラー７５の構成は、複数の第１従動回転体７５２が、共通の第１従動軸７５１により支持されている構成に限定されない。
【００５７】
第２従動ローラー７６は、Ｘ軸方向に沿って延びる第２従動軸７６１の軸線を中心として回転可能に支持されている。第２従動ローラー７６は、第２従動軸７６１と共に回転可能な複数の第２従動回転体７６２を有する。複数の第２従動回転体７６２は、Ｘ軸方向に沿って所定の間隔を空けて並ぶ。なお、第２従動ローラー７６の構成は、複数の第２従動回転体７６２が、共通の第２従動軸７６１により支持されている構成に限定されない。
【００５８】
第１搬送機構７３では、各第１駆動回転体７４２に対応させて、それぞれ１つの第１従動回転体７５２と、１つの第２従動回転体７６２とが設けられている。第１駆動ローラー７４、第１従動ローラー７５、及び第２従動ローラー７６の軸線は、相互に略平行である。
【００５９】
第１搬送機構７３は、第１駆動ローラー７４と第１従動ローラー７５との間に媒体９５を挟み込むことによって、媒体９５を保持可能に構成されている。第１駆動ローラー７４と第１従動ローラー７５は、読取用の挿入口６１から挿入される媒体９５を保持する保持機構６５を構成している。
【００６０】
例えば、媒体９５が所定の厚さを有する場合、第１駆動ローラー７４の外周面と、第１従動ローラー７５の外周面との離間距離は、媒体９５の厚さより小さい距離であるとよい。また、媒体９５が存在していない状態において、第１駆動ローラー７４の外周面と、第１従動ローラー７５の外周面とが接触していてもよい。なお、第１駆動ローラー７４及び第１従動ローラー７５のうち少なくとも第１駆動ローラー７４の外周面は、天然ゴム又は合成ゴムなどのように、弾性変形が可能な部材によって覆われているとよい。
【００６１】
第２搬送機構７７は、第２駆動ローラー７８と、第３従動ローラー７９と、を有する。第２駆動ローラー７８は、固定部６７に設けられている。第３従動ローラー７９は、読取部カバー６８に設けられている。読取部カバー６８が閉じられた状態において、第３従動ローラー７９は、第２駆動ローラー７８と対向する。
【００６２】
第２駆動ローラー７８は、Ｘ軸方向に沿って延びる第２駆動軸７８１の軸線を中心として回転可能に支持されている。本実施形態の第２駆動ローラー７８は、第２駆動軸７８１と共に回転可能な複数の第２駆動回転体７８２を有する。複数の第２駆動回転体７８２は、Ｘ軸方向に沿って所定の間隔を空けて並ぶ。第２駆動ローラー７８は、駆動モーター６２１によって駆動される。
【００６３】
第３従動ローラー７９は、Ｘ軸方向に沿って延びる第３従動軸７９１の軸線を中心として回転可能に支持されている。第３従動ローラー７９は、第３従動軸７９１と共に回転可能な複数の第３従動回転体７９２を有する。複数の第３従動回転体７９２は、Ｘ軸方向に沿って所定の間隔を空けて並ぶ。なお、第３従動ローラー７９の構成は、複数の第３従動回転体７９２が、共通の第３従動軸７９１により支持されている構成に限定されない。
【００６４】
本実施形態において、第１駆動ローラー７４、第１従動ローラー７５、及び第２従動ローラー７６、並びに第２駆動ローラー７８、及び第３従動ローラー７９は、読取用の挿入口６１から挿入される媒体９５を搬送する搬送ローラーの一例である。以下、第１駆動ローラー７４を、読取用の搬送ローラー６２２と示す。以下の説明において、単に搬送ローラー６２２と示す場合、読取用の搬送ローラー６２２を意味する。なお、第１従動ローラー７５、第２従動ローラー７６、第２駆動ローラー７８、及び第３従動ローラー７９を、読取用の搬送ローラー６２２としてもよい。
【００６５】
第１駆動ローラー７４、第１従動ローラー７５及び第２従動ローラー７６、並びに第２駆動ローラー７８及び第３従動ローラー７９の軸方向は、何れもＸ軸方向に沿って延びる。即ち、＋Ｙ方向は、Ｚ軸方向と、搬送ローラー６２２の軸方向とに交差する方向であり、より好ましくは直交する方向である。上述のように、読取部カバー６８のカバー軸６８３の軸線は、Ｘ軸方向に沿って延びる。したがって、カバー軸６８３の軸方向は、搬送ローラー６２２の軸方向と平行である。そして、搬送部６２による媒体９５の搬送経路は、挿入口６１から排出口６４へ向かう方向に沿って延びている。本実施形態において、媒体９５の搬送経路は、−Ｚ方向に延びる。
【００６６】
読取部６３は、媒体９５の搬送方向における第１搬送機構７３と第２搬送機構７７との間に設けられている。読取部６３は、読取部カバー６８に設けられている。読取部６３は、読取部カバー６８が閉位置Ｐ１に位置する場合に、カバー軸６８３よりも、＋Ｚ方向側に位置する。読取部６３は、読取部カバー６８が閉じられた状態において、媒体９５の搬送経路に面する。
【００６７】
本実施形態の読取部６３は、複数のコンタクトイメージセンサー（ＣＩＳ）モジュール８０を有する。ＣＩＳモジュール８０は、媒体９５と接するコンタクトガラス８０１と、媒体９５に光を照射するＬＥＤなどの光源（不図示）と、媒体９５からの反射光を受光するＣＭＯＳセンサーなどの受光素子（不図示）と、を有する。
【００６８】
ＣＩＳモジュール８０の光源は、コンタクトガラス８０１を介して白色光を媒体９５に照射する。ＣＩＳモジュール８０は、赤色、青色、及び緑色のカラーフィルターを有する複数の受光素子によって、媒体９５からの反射光を読み取る。
【００６９】
ＣＩＳモジュール８０の光源及び受光素子の制御は、後述する制御部１００が行ってもよいし、ＣＩＳモジュール８０に設けられたマイクロプロセッサなどの専用の制御部が行ってもよい。ＣＩＳモジュール８０の受光素子による読み取り結果は、後述の制御部１００によって合成され、カラーイメージデータが生成される。
【００７０】
本実施形態のＣＩＳモジュール８０において、受光素子は、Ｘ軸方向に沿って配列されている。ＣＩＳモジュール８０は、そのＸ軸方向に沿った寸法分の範囲において、一括して媒体９５の読み取りが可能に構成されている。読取機能部６０において、複数のＣＩＳモジュール８０は、Ｘ軸方向に沿うように、且つＺ軸方向において相互に一部を重複させた状態で配列されている（図１参照）。
【００７１】
読取機能部６０は、媒体９５をＣＩＳモジュール８０のコンタクトガラス８０１に押し付けるように付勢する付勢部８２を備えている。付勢部８２は、媒体９５の搬送方向における第１搬送機構７３と第２搬送機構７７との間に設けられている。付勢部８２は、固定部６７に設けられている。付勢部８２は、読取部カバー６８が閉じられた状態において、媒体９５の搬送経路に面する。
【００７２】
付勢部８２は、Ｘ方向に沿って延びる複数の付勢機構８３を有する。各付勢機構８３は、＋Ｙ方向に面する付勢面８３１を有する付勢部材８３２と、付勢部材８３２を＋Ｙ方向に付勢するばねなどの部材（不図示）と、を有する。読取部カバー６８が閉じられた状態において、各付勢機構８３の付勢面８３１は、それぞれＣＩＳモジュール８０のコンタクトガラス８０１と各別に対向するように設けられている。即ち、読取機能部６０において、複数の付勢機構８３は、Ｘ軸方向に沿うように、且つＺ軸方向において相互に一部を重複させた状態で配列されている（図２参照）。
【００７３】
本実施形態における複数の付勢面８３１は、読取部６３と対向する領域の一例である。また、ＣＩＳモジュール８０のコンタクトガラス８０１と、付勢機構８３の付勢面８３１とに挟まれる領域は、読取部６３が媒体９５を読み取る読取位置６３１である。即ち、搬送部６２は、挿入口６１から挿入される媒体９５を読取位置６３１へ搬送する。また、読取部６３は、挿入口６１から挿入される媒体９５を読み取る。
【００７４】
図５に示すように、読取用の排出口６４は、固定部６７が有するフラップ８５と、読取部カバー６８が有するガイドローラー８６とによって、Ｚ軸方向に挟まれた空間として形成されている。
【００７５】
フラップ８５は、固定部６７において、第２搬送機構７７よりも−Ｚ方向側に設けられている。フラップ８５は、Ｘ軸方向に沿って延びる板状の部材である。フラップ８５は、−Ｙ方向側においてＸ軸方向に沿って延びるフラップ軸８５１を中心として、＋Ｙ方向側の先端部が−Ｚ方向に変位可能に構成されている。
【００７６】
フラップ８５は、＋Ｚ方向に面する排出ガイド面８５２を有する。排出ガイド面８５２は、＋Ｙ方向に向かうほど−Ｚ方向に下がるように傾斜する。また、Ｘ軸方向に直交する平面で切断したと仮定したときに、排出ガイド面８５２の断面形状は、−Ｚ方向に凸となるように湾曲する円弧状である。ガイドローラー８６は、Ｘ軸方向に沿って延びるガイド軸８６１の軸線を中心として回転可能に支持されている。なお、ガイドローラー８６の構成は、ガイドローラー８６を構成する複数の回転体が、共通の軸により支持されている構成に限定されない。
【００７７】
読取機能部６０において、読取用の媒体９５は、挿入口６１に挿入されると、第１搬送機構７３の第１駆動ローラー７４及び第１従動ローラー７５による挟み込みによって、保持される。媒体９５は、搬送部６２によって、固定部６７と読取部カバー６８との間においてＺ軸方向に沿って延びる搬送経路を−Ｚ方向に搬送される。
【００７８】
第１搬送機構７３と第２搬送機構７７との間において、媒体９５は、付勢部８２によって読取部６３に向けて付勢される。即ち、付勢部８２を構成する各付勢機構８３は、媒体９５を挟んで反対側にあるＣＩＳモジュール８０のコンタクトガラス８０１に対して、媒体９５を押し付ける。
【００７９】
読取部６３は、コンタクトガラス８０１に押し付けられた状態で搬送される媒体９５を読み取る。読取部６３によって読み取られた媒体９５は、排出口６４から排出される。第２搬送機構７７を通過するときの媒体９５の搬送方向は、−Ｚ方向である。そして、媒体９５は、媒体９５が搬送部６２の駆動による推進力を受けつつ、フラップ８５の排出ガイド面８５２と接触することによって、排出ガイド面８５２に沿って進行する。
【００８０】
このため、排出口６４における媒体９５の排出方向Ｄ２は、フラップ８５の先端部における排出ガイド面８５２の延長方向となる。即ち、排出口６４における媒体９５の排出方向Ｄ２は、＋Ｙ方向側の方向である。本実施形態におけるフラップ８５は、媒体９５の排出方向Ｄ２を規定する規定部の一例である。
【００８１】
なお、媒体９５の進行方向は、排出口６４から排出された後、重力の影響を受けて−Ｚ方向に近づくなどして、上記排出方向Ｄ２とは一致しなくなることもある。本明細書における排出方向Ｄ２は、排出口６４から排出されるときの方向を意味する。即ち、排出方向Ｄ２は、排出口６４から排出された後における媒体９５の進行方向を意味するものではない。
【００８２】
図１及び図２に示すように、本実施形態において、読取機能部６０は、本体部１２の一部を構成している。したがって、読取機能部６０の読取部カバー６８は、外装体２８、覗き孔カバー３１、及び収容部カバー４０とともに、本体部１２の筐体１４を構成している。
【００８３】
即ち、筐体１４は、読取用の挿入口６１及び読取用の排出口６４を有する。筐体１４において、＋Ｚ方向に面する上面２５は、挿入口６１を有するともいえる。また、読取機能部６０は、本体部１２において、＋Ｙ方向側の端部に設けられている。即ち、挿入口６１及び排出口６４は、筐体１４のうち、＋Ｙ方向側に設けられている。そして、第２面の一例である前面２３は、印刷用の排出口５５を有する。
【００８４】
また、収容部３５は、本体部１２において、−Ｙ方向側の端部に設けられている。即ち、筐体１４は、収容部３５及び収容部カバー４０を備える。そして、収容部３５は、筐体１４のうち、−Ｙ方向側に設けられている。
【００８５】
本明細書において「筐体１４のうち＋Ｙ方向側に設けられる」とは、筐体１４のＹ軸方向における中央よりも＋Ｙ方向側にあることを意味する。同様に、本明細書において「筐体１４のうち−Ｙ方向側に設けられる」とは、筐体１４のＹ軸方向における中央よりも−Ｙ方向側にあることを意味する。
【００８６】
本体部１２の前面２３は、外装体２８の前面２８３と、読取部カバー６８の前面６８２と、を含んで構成されている。即ち、読取部カバー６８が閉位置Ｐ１に位置するとき、読取部カバー６８の前面６８２は、前面２３に含まれる。本体部１２の左側面２１は、外装体２８の左側面２８１を含んで構成されており、本体部１２の右側面２２は、外装体２８の右側面２８２を含んで構成されている。本体部１２の下面２６は、外装体２８の下面２８６を含んで構成されている。
【００８７】
また、本体部１２の上面２５は、外装体２８の上面２８５、覗き孔カバー３１の上面３１１、読取部カバー６８の上面６８１、第１収容部カバー４１の外表面４１２、及び第２収容部カバー４２の外表面４２２を含んで構成されている。即ち、収容部カバー４０の外表面４１２，４２２は、上面２５に含まれる。
【００８８】
本実施形態のスキャナー装置１１において、外装体２８の上面２８５と、覗き孔カバー３１の上面３１１と、読取部カバー６８の上面６８１とは、Ｚ軸方向と直交する同一平面に含まれる。また、本体部１２において、第２収容部カバー４２の外表面４２２と、第１収容部カバー４１の外表面４１２は、外装体２８の上面２８５と−Ｙ方向に繋がる面を形成している。
【００８９】
本実施形態において、覗き孔カバー３１、読取部カバー６８、第２収容部カバー４２、及び第１収容部カバー４１が閉じられた状態において、外装体２８の上面２８５、覗き孔カバー３１の上面３１１、読取部カバー６８の上面６８１、第２収容部カバー４２の外表面４２２、及び第１収容部カバー４１の外表面４１２は、載置面１５を構成している。即ち、収容部３５の収容部カバー４０は、載置面１５の一部を構成する。また、読取部カバー６８は、載置面１５の一部を構成する。
【００９０】
載置面１５のうち、外装体２８の上面２８５と、覗き孔カバー３１の上面３１１と、読取部カバー６８の上面６８１と、によって構成される部分は、水平な第１載置面１５１である。載置面１５のうち、第２収容部カバー４２の外表面４２２と、第１収容部カバー４１の外表面４１２とによって構成される部分は、第２載置面１５２である。第２載置面１５２は、第２収容部カバー４２の外表面４２２を含むことから、少なくとも一部が傾斜する。
【００９１】
載置面１５は、外装体２８の上面２８５と、覗き孔カバー３１の上面３１１と、読取部カバー６８の上面６８１とがそれぞれ隣り合う隙間を除いて、平滑な面である。そして、載置面１５は、筐体１４において、読取用の挿入口６１から、＋Ｙ方向とは反対方向である−Ｙ方向に延びる。即ち、載置面１５は、本体部１２の上面２５の一部である。そして、読取用の排出口６４は、筐体１４の載置面１５、及び読取用の挿入口６１よりも−Ｚ方向側に位置するといえる。
【００９２】
保持機構６５及び補助記号６８５は、本体部１２の＋Ｙ方向側にある読取機能部６０に設けられている。即ち、筐体１４は、補助記号６８５を有する。そして、保持機構６５及び補助記号６８５は、筐体１４のうち、＋Ｙ方向側に設けられている。
【００９３】
次に、スキャナー装置１１の電気的な構成について説明する。
図１及び図６に示すように、スキャナー装置１１は、制御部１００を備える。制御部１００は、ＣＰＵ１０１と、ＲＡＭ及びＲＯＭなどを含むメモリー１０２と、を備える。メモリー１０２には、スキャナー装置１１を制御するための種々のプログラムが記憶されている。制御部１００は、各種処理のうち少なくとも一部の処理を実行する専用のハードウェア（特定用途向け集積回路：ＡＳＩＣ）を備えた構成であってもよい。即ち、制御部１００は、コンピュータープログラム（ソフトウェア）に従って動作する１つ以上のプロセッサ、ＡＳＩＣなどの１つ以上の専用のハードウェア、又はそれらの組み合わせを含んだ構成であってもよい。プロセッサは、ＣＰＵ、並びに、ＲＡＭ及びＲＯＭなどのメモリーを含む。メモリーは、処理をＣＰＵに実行させるように構成されたプログラムコード、又は指令を格納している。コンピューター可読媒体の一例であるメモリーは、汎用または専用のコンピューターでアクセスできるあらゆるものを含む。
【００９４】
制御部１００は、操作部３４と接続されている。制御部１００は、操作部３４が操作されたときに出力する操作信号を入力可能である。制御部１００は、操作部３４が所定の操作をされたときに出力する複写要求信号を入力すると、複写要求を受け付ける。複写要求は、読取機能部６０により媒体９５を読み取ってイメージデータを生成するとともに、生成したイメージデータを印刷用の媒体９０に印刷して複写するように、スキャナー装置１１を動作させる契機となる。
【００９５】
制御部１００は、入出力部１０３と双方向通信が可能となるように接続されている。入出力部１０３は、ノート型のパーソナルコンピューターといった端末機器１０５と接続可能に構成されている。なお、入出力部１０３は、有線接続を可能に構成されていてもよく、無線接続を可能に構成されていてもよい。制御部１００は、入出力部１０３に接続された端末機器１０５が出力する印刷要求信号及び読取要求信号を入力可能である。
【００９６】
制御部１００は、端末機器１０５から印刷要求信号を入力すると、印刷要求を受け付ける。印刷要求は、端末機器１０５から入力した画像及び文字などのイメージデータを印刷用の媒体９０に印刷するように、スキャナー装置１１を動作させる契機となる。印刷要求信号は、ユーザーが端末機器１０５を操作することによって出力される。
【００９７】
制御部１００は、端末機器１０５から読取要求信号を入力すると、読取要求を受け付ける。読取要求は、読取用の媒体９５を読み取ってイメージデータを生成するとともに、生成したイメージデータを入出力部１０３から端末機器１０５に出力するように、スキャナー装置１１を動作させる契機となる。読取要求信号は、ユーザーが端末機器１０５を操作することによって出力される。
【００９８】
制御部１００は、印刷機能部１８の搬送部４５及び印刷部５０と電気的に接続されている。制御部１００は、搬送部４５及び印刷部５０を制御することによって、スキャナー装置１１のうち、印刷機能部１８を動作させる。制御部１００は、読取機能部６０の搬送部６２及び読取部６３と電気的に接続されている。制御部１００は、搬送部６２及び読取部６３を制御することによって、スキャナー装置１１のうち、読取機能部６０を動作させる。制御部１００は、第１搬送機構７３及び第２搬送機構７７を制御する。
【００９９】
制御部１００の制御内容について説明する。
制御部１００は、複写要求を受け付けると、媒体９５を読み取る読取動作を行うように、読取機能部６０を制御する。以下、読取機能部６０に読取動作を行わせる処理を、読取制御処理と示す。
【０１００】
読取制御処理において、制御部１００は、挿入口６１に挿入された媒体９５を、読取用の搬送経路に沿って搬送するように、搬送部６２の駆動モーター６２１を制御する。制御部１００は、媒体９５が読取位置６３１を通過するときに、媒体９５に記録された画像及び文字などを読み取るように、読取部６３を制御する。
【０１０１】
制御部１００は、媒体９５に白色光を照射するように、各ＣＩＳモジュール８０の光源（不図示）を制御する。制御部１００は、赤色、青色、及び緑色のフィルターを介して複数の受光素子（不図示）が検出した結果を入力する。制御部１００は、複数のＣＩＳモジュール８０の受光素子による検出結果を合成することによって、媒体９５に記録された文字及び画像などのカラーイメージデータを生成する。なお、制御部１００は、生成したカラーイメージデータをメモリー１０２に格納する。その後、制御部１００は、読取制御処理を終了する。
【０１０２】
続けて、制御部１００は、印刷用の媒体９０に印刷する印刷動作を行うように、印刷機能部１８を制御する。以下、印刷機能部１８に印刷動作を行わせる処理を、印刷制御処理と示す。
【０１０３】
印刷制御処理において、制御部１００は、収容部３５に収容されている媒体９０を、印刷用の搬送経路に沿って搬送するように、搬送部４５の搬送モーターを制御する。制御部１００は、媒体９０が印刷部５０による印刷位置を通過するときに、液体を媒体９０に吐出するように、印刷部５０の印刷モーター及び液体吐出ヘッド５４を制御する。制御部１００は、印刷対象としたイメージデータが印刷されるように、印刷部５０を制御する。複写要求を受け付けたときに印刷対象とするイメージデータは、媒体９５を読み取って生成されたイメージデータである。制御部１００は、印刷対象としたイメージデータの印刷が完了すると、印刷制御処理を終了する。
【０１０４】
制御部１００は、印刷要求を受け付けると、印刷制御処理を実行する。印刷要求を受け付けたときに印刷対象とするイメージデータは、端末機器１０５から入力されたイメージデータである。また、制御部１００は、読取要求を受け付けると、読取制御処理を実行する。読取要求を受け付けている場合、制御部１００は、読取制御処理を終了すると、媒体９５から読み取って生成したイメージデータを、入出力部１０３から端末機器１０５に出力する。
【０１０５】
本実施形態の作用について説明する。
仮に、挿入口６１及び排出口６４が筐体１４のうち＋Ｙ方向側に設けられ、筐体１４の内部における媒体９５の搬送経路がＵ字型に折り返されるように、スキャナー装置が構成されているものと想定する。このような構成であれば、ユーザーは、媒体９５のうち排出口６４から排出された第１端部９５１側の部分と、挿入口６１に挿入される前の第２端部９５２側の部分とを、同じ＋Ｙ方向側から取り扱うことが可能になる。
【０１０６】
その一方で、上記仮想したスキャナー装置では、排出口６４から排出された第１端部９５１側の部分と、挿入口６１に挿入される前の第２端部９５２側の部分とが相互に干渉しあったり、排出口６４から排出された第１端部９５１側の部分が再び挿入口６１に挿入されたりすることによって、媒体９５の搬送に影響を及ぼす虞がある。このような問題は、Ｕ字型の搬送経路を通過するときに、媒体９５に巻き癖がついたときに顕著である。
【０１０７】
このため、上記仮想したスキャナー装置では、媒体９５のうち排出口６４から排出される第１端部９５１側の部分が、挿入口６１に挿入される前の第２端部９５２側の部分に干渉しないようにするため、媒体９５を支持する支持部を備えたり、ユーザーが媒体９５を支持したりする必要がある。媒体９５の支持部を備える場合、スキャナー装置が大型化する。また、ユーザーが媒体９５を支持する場合、ユーザーの利便性が低下する。
【０１０８】
図７に示すように、本実施形態のスキャナー装置１１において、読取用の挿入口６１は、筐体１４のうち、＋Ｙ方向側に設けられている。このため、ユーザーは、＋Ｙ方向側から、挿入口６１に対して媒体９５を挿入し易い。スキャナー装置１１において、読取用の排出口６４は、筐体１４のうち、＋Ｙ方向側に設けられている。このため、ユーザーは、＋Ｙ方向側から、排出口６４において排出される媒体９５を容易に取り扱うことができる。
【０１０９】
例えば、媒体９５の排出方向Ｄ２が−Ｙ方向側の方向であると仮定した場合、媒体９５は、スキャナー装置１１の＋Ｙ方向側にいるユーザーから離間する方向へ排出されてしまう。即ち、ユーザーは、排出口６４から排出される媒体９５を回収するために、スキャナー装置１１の−Ｙ方向側に回り込む必要が生じる。
【０１１０】
これに対して、本実施形態において、排出口６４における媒体９５の排出方向Ｄ２は、＋Ｙ方向側の方向である。このため、ユーザーは、＋Ｙ方向側から、排出口６４において排出される媒体９５を容易に取り扱うことができる。
【０１１１】
以上のように、スキャナー装置１１において、ユーザーは、挿入口６１に媒体９５を挿入する作業、及び排出口６４から排出された媒体９５の取り扱いを、同じ＋Ｙ方向側から行うことが可能になる。
【０１１２】
そして、筐体１４は、挿入口６１から−Ｙ方向に延びる載置面１５を有する。このため、載置面１５は、媒体９５の第１端部９５１が挿入口６１に挿入された状態において、媒体９５のうち第１端部９５１とは反対側である第２端部９５２側の部分を支持可能である。即ち、ユーザーは、媒体９５の第１端部９５１を挿入口６１に挿入した状態において、媒体９５のうち第２端部９５２側を載置面１５に載置することが可能である。
【０１１３】
このため、スキャナー装置１１において、第２端部９５２側の部分は、−Ｙ方向に延びるように載置面１５に載置される一方、第１端部９５１側の部分は、＋Ｙ方向側の方向に排出される。つまり、媒体９５のうち、読取済みの第１端部９５１側の部分と、読取前の第２端部９５２側の部分とが、相互に接触し難い。したがって、本実施形態のスキャナー装置１１は、上記仮想した、搬送経路がＵ字型に折り返されている構成を有するスキャナー装置では必要な媒体９５の第２端部９５２側を支持する支持部を備えなくても、媒体９５の第１端部９５１側と第２端部９５２側とが相互に干渉することが抑制される。
【０１１４】
また、スキャナー装置１１において、搬送部６２による媒体９５の搬送経路は、挿入口６１から排出口６４へ向かう方向に沿って延びる。このため、媒体９５を読み取るための構成要素が筐体１４の載置面１５より上方でＺ軸方向に占める寸法は、媒体９５の搬送経路がＵ字型に折り返されている構成を採用した場合に比べて小さい。したがって、収容部３５より＋Ｙ方向側に、媒体を読み取るための構成要素が配置される構成であっても、ユーザーが、スキャナー装置１１の＋Ｙ方向側から収容部３５にアクセスすることを阻害しにくい。
【０１１５】
また、本実施形態においては、媒体９５を読み取るための構成要素より−Ｙ方向側に覗き窓２９が設けられる。したがって、媒体９５を読み取るための構成要素が筐体１４の載置面１５より上方でＺ軸方向に占める寸法が大きく、当該構成要素と覗き窓２９とのＹ軸方向における距離が短い場合に、スキャナー装置１１の＋Ｙ方向側に立つユーザーによる、覗き窓２９を介する本体部１２の内部の視認が阻害されやすい。このため、媒体９５の搬送経路がＵ字型に折り返されている構成においては、媒体９５を読み取るための構成要素と覗き窓２９とのＹ軸方向における距離を十分に長くする必要がある。これに対して、本実施形態においては、媒体９５を読み取るための構成要素がＺ軸方向に占める寸法が比較的小さいため、筐体１４の＋Ｙ方向側の端部から、収容部３５までの距離を減少させることができる。よって、ユーザーは、筐体１４の＋Ｙ方向側から、収容部３５に対して容易にアクセスすることができる。そして、上述のように、本実施形態の収容部カバー４０は、載置面１５の一部を構成することから、広い面積の載置面１５を実現することができる。
【０１１６】
特に、スキャナー装置１１において、排出口６４は、筐体１４の載置面１５及び挿入口６１よりも−Ｚ方向側に位置する。このため、媒体９５の搬送経路は、−Ｚ方向に向かう成分を含む。したがって、媒体９５の搬送経路のＹ軸方向に沿った寸法を小さくできる。即ち、読取機能部６０は、Ｙ軸方向における寸法を小さくできるように構成されている。
【０１１７】
このため、筐体１４において、読取用の挿入口６１を更に＋Ｙ方向側に寄せることが可能になる。よって、読取用の挿入口６１に媒体９５を挿入し易くすることができる。また、筐体１４のＹ軸方向における寸法を増大させることなく、更に広い面積の載置面１５を実現することができる。
【０１１８】
また、読取機能部６０において、挿入口６１と排出口６４とは、Ｚ軸方向に沿って並んでおり、且つ媒体９５の搬送経路も、Ｚ軸方向に沿って延びる板状の空間である。したがって、媒体９５は、挿入口６１に挿入されてから、排出口６４において排出されるまでの間、搬送部６２による軽微な湾曲を除いて、大きく屈曲及び湾曲されない。したがって、媒体９５に巻き癖がつくことを抑制できる。
【０１１９】
収容部カバー４０が閉じられた状態において、第１収容部カバー４１の外表面４１２は、水平面であり、第２収容部カバー４２の外表面４２２は、−Ｙ方向に向かうほど＋Ｚ方向に上がる傾斜面である。したがって、収容空間３６の体積を確保しつつ、載置面１５として、第１載置面１５１に連続する第２載置面１５２を形成することが可能である。
【０１２０】
スキャナー装置１１において、印刷用の排出口５５は、筐体１４において、＋Ｙ方向側に設けられている。また、排出口５５における媒体９０の排出方向Ｄ１は、排出口６４における媒体９５の排出方向Ｄ２と同じように、＋Ｙ方向側の方向である。このため、ユーザーは、読取部６３によって読み取られた媒体９５、及び印刷部５０によって印刷された媒体９０を、筐体１４の同じ＋Ｙ方向側から取り扱うことができる。
【０１２１】
スキャナー装置１１は、挿入口６１から挿入される媒体９５を保持する保持機構６５を備える（図５参照）。このため、ユーザーが媒体９５を挿入口６１に対して位置決めして挿入したにもかかわらず、媒体９５の搬送が開始されるまでに意図せず媒体９５の位置がずれてしまうことが抑制される。また、保持機構６５は、筐体１４において＋Ｙ方向側に設けられているため、ユーザーは、媒体９５を容易に保持機構６５に保持させることができる。
【０１２２】
また、スキャナー装置１１は、ユーザーが挿入口６１に媒体９５を挿入するときの目安となる位置を示す補助記号６８５を備える。このため、ユーザーは、補助記号６８５を手掛かりに、適正な位置となるように、媒体９５を挿入口６１に挿入することができる。
【０１２３】
そして、保持機構６５及び補助記号６８５は、挿入口６１及び排出口６４と同じように、筐体１４のうち、＋Ｙ方向側に設けられている。よって、挿入口６１に媒体９５を挿入する作業が簡単になる。
【０１２４】
また、図７及び図８に示すように、載置面１５がスキャナー装置１１の＋Ｚ方向側の部分に存在することは、媒体９５を載置すること（図７参照）、又は端末機器１０５などの載置対象物を載置すること（図８参照）に有用である。載置面１５は、端末機器１０５を用いて作成したイメージデータの印刷要求をするときや、スキャナー装置１１の読み取り結果の一例であるイメージデータを確認するときに、端末機器１０５を載置できる点で便利である。
【０１２５】
仮に、本体部１２の＋Ｚ方向側の部分のうちＹ軸方向の中央に読取機能部６０を設け、読取部カバーを＋Ｚ方向に開放することによって、媒体９５の搬送経路及び読取部による読取位置を開放可能となるように、スキャナー装置が構成されているものと想定する。
【０１２６】
このようなスキャナー装置においても、読取部カバーが閉じられた状態において、読取部カバーの＋Ｚ方向側の面を載置面とすることも想定できる。しかしながら、上記仮想したスキャナー装置において、読取部カバーを＋Ｚ方向に開放させている状態では、載置対象物を置くスペースとして載置面を利用し難い。
【０１２７】
また、本体部１２の＋Ｚ方向側の部分において、読取部カバーとＹ軸方向に並ぶように載置面を設けることも考えられる。しかしながら、読取部カバーは、スキャナー装置の外部から読取部へと光が進入することを抑制するために、媒体９５の搬送経路のうち、読取部の前後を覆うのに十分な長さであることが好ましい。このため、上記仮想したスキャナー装置において、載置面の面積を大きくすることが困難である。
【０１２８】
本実施形態のスキャナー装置１１では、読取部カバー６８を閉位置Ｐ１から開位置Ｐ２に移動させることによって、読取部６３による読取位置６３１を開放させることができる。このため、読取部６３のメンテナンス、又は媒体９５の詰りを解消させる処置などが容易になる。
【０１２９】
そして、読取部カバー６８の前面６８２は、本体部１２において、上面２５と交差する方向に延びる前面２３を構成する。即ち、読取部カバー６８は、スキャナー装置１１において、＋Ｙ方向側の端部を構成する。したがって、載置面１５として利用可能な上面２５の面積を大きくすることが可能になる。よって、ユーザーの利便性を高めることができる。
【０１３０】
読取部カバー６８が開位置Ｐ２に移動されている場合であっても、第１載置面１５１のうち、外装体２８の上面２８５及び覗き孔カバー３１の上面３１１は、水平面を維持する。このため、第１載置面１５１のなかでも、外装体２８の上面２８５及び覗き孔カバー３１の上面３１１は、読取部カバー６８の開閉に関係なく、載置対象物を置くスペースとして利用できる。つまり、第１載置面１５１に載置対象物を載置したまま、読取部カバー６８を開位置Ｐ２に移動させ、読取部６３のメンテナンスなどを行うことができる。また、読取部カバー６８を閉位置Ｐ１に移動させれば、読取部カバー６８の上面６８１も含め、第１載置面１５１の全体を、載置対象物を置くスペースとして利用することができる。
【０１３１】
上述のように、スキャナー装置１１の読取機能部６０は、Ｙ軸方向における寸法が小さくなるように構成されている。このため、第１載置面１５１のうち、読取部カバー６８の上面６８１が占める割合を少なくすることができる。即ち、本実施形態では、外装体２８の上面２８５及び覗き孔カバー３１の上面３１１を、広くすることが可能になる。また、載置対象物が、収容部３５に収容される媒体ロール９１のように転動しやすい形状である場合に、第１載置面１５１のうち上面６８１を除く領域への載置対象物の載置が容易であり、読取部カバー６８の形状の自由度が増す。また、第２載置面１５２は、少なくとも一部が水平ではない部分を含むものの、読取部カバー６８の開閉に関係なく、載置対象物を載置するスペースとして利用することが可能である。
【０１３２】
また、上記仮想したスキャナー装置では、スキャナー装置の＋Ｙ方向側にいるユーザーが、読取部カバーを＋Ｚ方向に開放させたとき、スキャナー装置の＋Ｚ方向側の部分において、読取部カバーが収容部３５へのアクセスを遮るかのように立ち上がる。即ち、読取部カバー６８が収容部３５に対するアクセスの邪魔になる。
【０１３３】
これに対して、本実施形態のスキャナー装置１１において、読取部カバー６８は、上面２５と交差する方向に延びる前面２３に含まれる一方で、収容部カバー４０の外表面４１２，４２２は、本体部１２の上面２５に含まれる。したがって、読取部カバー６８を開位置Ｐ２に移動させたときであっても、収容部カバー４０に対するアクセスの邪魔になることが抑制される。
【０１３４】
特に、本実施形態において、読取部カバー６８の開位置Ｐ２は、−Ｚ方向側に回動した位置である。したがって、読取部カバー６８が開かれた状態において、読取部カバー６８は収容部カバー４０に対するアクセスを阻害しない。
【０１３５】
本実施形態の効果について説明する。
（１）スキャナー装置１１では、挿入口６１に媒体９５を挿入する作業、及び排出口６４から排出される媒体９５の取り扱いは、同じ＋Ｙ方向側から行うことができる。よって、ユーザーの利便性を高めることができる。また、媒体９５の第１端部９５１を挿入口６１に挿入した状態において、第２端部９５２側を載置面１５に載置することが可能である。このため、媒体の第２端部９５２側を支持する支持部を備えなくても、媒体９５の第１端部９５１側と第２端部９５２側とが相互に干渉することが抑制される。よって、スキャナー装置１１の大型化を抑制することができる。
【０１３６】
（２）読取機能部６０は、Ｙ軸方向における寸法を小さくできるように構成されている。このため、筐体１４の＋Ｙ方向側の端部から、収容部３５までの距離を減少させることができる。よって、筐体１４の＋Ｙ方向側から、収容部３５に対して容易にアクセスすることが可能になる。そして、収容部カバー４０は、載置面１５の一部を構成することから、広い面積の載置面１５が実現される。
【０１３７】
（３）搬送部６２による媒体９５の搬送経路は、−Ｚ方向の成分を含む。このため、読取機能部６０のＹ軸方向における寸法を更に小さくできる。つまり、筐体１４において、挿入口６１を更に＋Ｙ方向側に寄せることが可能となる。よって、挿入口６１に媒体９５を挿入し易くすることができる。
【０１３８】
（４）排出口６４における媒体９５の排出方向Ｄ２、及び排出口５５における媒体９０の排出方向Ｄ１は、何れも＋Ｙ方向側の方向である。このため、媒体９０及び媒体９５の両方を、筐体１４の＋Ｙ方向側から取り扱うことができる。
【０１３９】
（５）保持機構６５及び補助記号６８５は、挿入口６１及び排出口６４と同じように、筐体１４のうち、＋Ｙ方向側に設けられている。よって、挿入口６１に媒体９５を挿入する作業が簡単になる。
【０１４０】
（６）読取部カバー６８を閉位置Ｐ１から開位置Ｐ２に移動させることによって、読取位置６３１を開放させることができる。このため、読取部６３のメンテナンス、又は媒体９５の詰りを解消させる処置などが容易になる。そして、読取部カバー６８の前面６８２は、本体部１２の前面２３を構成する。即ち、読取部カバー６８は、スキャナー装置１１において、＋Ｙ方向における端部を構成する。したがって、載置面１５として利用可能な部分の面積を大きくすることが可能になる。よって、ユーザーの利便性を高めることができる。
【０１４１】
（７）読取部カバー６８の前面６８２が本体部１２の前面２３に含まれる構成であることから、読取部カバー６８を開位置Ｐ２へと移動させる場合であっても、収容部カバー４０に対するアクセスの邪魔になることが抑制される。
【０１４２】
（８）読取部カバー６８は、カバー軸６８３を中心として、閉位置Ｐ１と開位置Ｐ２とに回動する。このため、読取部カバー６８をスライドさせるようにして移動させる構成に比して、読取部カバー６８の移動が簡単にできる。
【０１４３】
（９）読取部カバー６８は、カバー軸６８３の軸方向の寸法Ｌ２が、カバー軸６８３の軸方向と直交する方向の寸法Ｌ１よりも大きい。このため、寸法Ｌ２が寸法Ｌ１より小さい場合と比較して、読取部カバー６８を回動させる場合に必要となる空間を小さくすることができる。
【０１４４】
（１０）読取部カバー６８は、読取部６３より−Ｚ方向側にあるカバー軸６８３を中心として回動する。即ち、読取部カバー６８は、重力方向に回動する。このため、読取部カバー６８が開位置Ｐ２にある状態を維持するために、特別な機構を設ける必要がない。
【０１４５】
（１１）印刷用の排出口５５は、読取部カバー６８の外表面が含まれる前面２３に設けられる。このため、ユーザーは、読取部カバー６８と、印刷部５０によって印刷された媒体９０とを、同じ＋Ｙ方向側から取り扱うことができる。
【０１４６】
（１２）ユーザーは、覗き窓２９を介して、印刷部５０による印刷直後の媒体９０を視認することができる。したがって、ユーザーは、覗き孔カバー３１の上面３１１を含む載置面１５を利用しながらも、印刷部５０による印刷が正常に行われているか否かを容易に確認することができる。
【０１４７】
（１３）第１載置面１５１の−Ｙ方向側の部分及び第２載置面１５２は、左カバー支持部４３１と右カバー支持部４３２とによってＸ軸方向に挟まれている。よって、媒体９５の第２端部９５２側の部分が、Ｘ軸方向にずれてしまうことが抑制される。即ち、左カバー支持部４３１と右カバー支持部４３２とは、媒体９５をガイドする媒体ガイドの一例といえる。
【０１４８】
本実施形態は、以下のように変更して実施することができる。本実施形態及び以下の変更例は、技術的に矛盾しない範囲で互いに組み合わせて実施することができる。なお、以下の説明において、既出の構成要素と同様の機能を有するものには同じ符号を付して、重複する説明を省略する。
【０１４９】
・図９に示すように、上記実施形態のスキャナー装置１１において、読取機能部６０は、本体部１２の＋Ｙ方向側の端部においてＺ軸方向に沿って延びる。即ち、読取機能部６０は、Ｘ軸方向から見たときにＩ字型である。読取機能部６０は、＋Ｚ方向に面する上面６０１に挿入口６１を有し、＋Ｙ方向に面する前面６０２に排出口６４を有する。媒体９５の排出方向Ｄ２は、＋Ｙ方向側の方向である。なお、読取機能部６０の上面６０１は、読取部カバー６８の上面６８１である。読取機能部６０の前面６０２は、読取部カバー６８の前面６８２である。
【０１５０】
挿入口６１及び排出口６４の開口する方向及び位置、並びに媒体９５の排出方向Ｄ２は、上記実施形態に限らず、次に説明するような構成に変更できる。
図９には、上記実施形態のスキャナー装置１１に加えて、第１変更例のスキャナー装置１１が模式的に示されている。第１変更例のスキャナー装置１１において、読取機能部６０は、本体部１２の＋Ｙ方向側の端部においてＺ軸方向に沿って延びる。即ち、読取機能部６０は、Ｘ軸方向から見たときにＩ字型である。
【０１５１】
読取機能部６０は、＋Ｚ方向に面する上面６０１に挿入口６１を有し、−Ｚ方向に面する下面６０３に排出口６４を有する。第１変更例において、媒体９５の排出方向Ｄ２は、−Ｚ方向である。読取機能部６０の下面６０３は、読取部カバー６８の下面６８４である。なお、第１変更例のスキャナー装置１１は、前面６０２に排出口６４を有さない。
【０１５２】
図１０には、第２変更例及び第３変更例のスキャナー装置１１が模式的に示されている。第２変更例及び第３変更例のスキャナー装置１１において、読取機能部６０は、Ｘ軸方向から見たときに、本体部１２の上面２５及び前面２３に跨るように屈曲するＬ字型である。読取機能部６０の上面６０１である読取部カバー６８の上面６８１は、外装体２８の上面２８５と同一平面上には存在しないが、本体部１２の上面２５を構成する。
【０１５３】
第２変更例の読取機能部６０は、＋Ｚ方向に面する上面６０１に挿入口６１を有し、＋Ｙ方向に面する前面６０２に排出口６４を有する。第２変更例において、媒体９５の排出方向Ｄ２は、＋Ｙ方向側の方向である。第３変更例の読取機能部６０は、＋Ｚ方向に面する上面６０１に挿入口６１を有し、−Ｚ方向に面する下面６０３に排出口６４を有する。第３変更例において、媒体９５の排出方向Ｄ２は、−Ｚ方向である。
【０１５４】
第２変更例及び第３変更例において、読取機能部６０の−Ｙ方向に面する後面６０４は、読取部カバー６８のうち−Ｙ方向に面する面であってもよく、固定部６７のうち−Ｙ方向に面する面であってもよく、これらの組み合わせであってもよい。
【０１５５】
・図１１に示すように、排出口６４における媒体９５の排出方向Ｄ２は、＋Ｙ方向側の方向に限らない。排出方向Ｄ２は、＋Ｚ方向及び−Ｙ方向側の方向を除いた範囲において、任意に選択可能である。即ち、排出方向Ｄ２は、−Ｚ方向であってもよい。また、排出方向Ｄ２は、Ｙ方向側の方向のうち、水平方向よりも＋Ｚ方向側に傾斜する方向であってもよく、水平方向よりも−Ｚ方向側に傾斜する方向であってもよい。
【０１５６】
・図１１に示すように、スキャナー装置１１は、排出口６４から排出された媒体９５を受ける読取用の媒体受け１６１を備えていてもよい。スキャナー装置１１は、排出口５５から排出された媒体９０を受ける印刷用の媒体受け１６２を備えていてもよい。読取用の媒体受け１６１と、印刷用の媒体受け１６２は、兼用されていてもよいし、相互に独立していてもよい。
【０１５７】
・挿入口６１は、本体部１２の上面２５に開口しており、且つ筐体１４のうち＋Ｙ方向側の部分であれば、上記実施形態とは異なる部分に設けられていてもよい。排出口６４は、筐体１４のうち＋Ｙ方向側の部分であれば、上記実施形態とは異なる部分に設けられていてもよい。
【０１５８】
・読取機能部６０は、フラップ８５に代えて、排出口６４に一対の排出口ローラーを備えてもよい。一対の排出口ローラーによって媒体９５を挟み込みつつ、媒体９５を送出する場合、媒体９５の排出方向Ｄ２は、排出口ローラー同士の接触部分における接線方向となる。即ち、一対の排出口ローラーは、媒体９５の排出方向Ｄ２を規定する規定部の一例である。
【０１５９】
・第１載置面１５１は、載置対象物を載置可能な範囲であれば、傾斜していてもよい。第１載置面１５１は、載置対象物を載置可能な範囲であれば、凹部や凸部などの構造を有していてもよい。
【０１６０】
・第１載置面１５１において、外装体２８の上面２８５と、覗き孔カバー３１の上面３１１と、読取部カバー６８の上面６８１とは、同一平面に含まれなくてもよい。即ち、外装体２８の上面２８５と、覗き孔カバー３１の上面３１１と、読取部カバー６８の上面６８１のうち、一部の面が他の面に対して＋Ｚ方向又は−Ｚ方向にずれていてもよい。
【０１６１】
・第１載置面１５１は、全体として平面であることに限らない。例えば、第１載置面１５１は、＋Ｚ方向又は−Ｚ方向に湾曲していてもよい。
・第２載置面１５２は、全体が平面であってもよい。この場合、第１載置面１５１及び第２載置面１５２は、同一平面に含まれていてもよく、含まれていなくてもよい。
【０１６２】
・第１載置面１５１は、外装体２８の上面２８５のみから構成されていてもよく、覗き孔カバー３１の上面３１１のみから構成されていてもよく、これらの組み合わせから構成されていてもよい。即ち、読取部カバー６８の上面６８１は、載置面１５を構成しなくてもよい。また、読取部カバー６８は、＋Ｚ方向に面する上面を有さなくてもよい。
【０１６３】
・載置面１５は、挿入口６１と−Ｙ方向に離間していてもよい。
・収容部カバー４０は、載置面１５を構成しなくてもよい。スキャナー装置１１は、収容部カバー４０を備えなくてもよい。
【０１６４】
・補助記号６８５の位置は、読取部カバー６８の上面６８１に限らない。補助記号６８５は、読取部カバー６８のうち、Ｚ軸方向においてカバー側ガイド面７１とは反対側の外面に設けられていてもよい。本変更例によれば、補助記号６８５が挿入口６１に近接することから、媒体９５の位置決めがさらに容易になる。
【０１６５】
・印刷機能部１８は、印刷部５０よりも搬送方向における下流側において、媒体９０を切断する切断部を備えていてもよい。
・読取機能部６０は、媒体９５を読み取ってカラーイメージデータを生成する構成に限らない。読取機能部６０は、単色のイメージデータを生成するように構成されていてもよい。この場合、読取部６３は、単色の光を照射し、媒体９５からの反射光を読み取るとよい。また、読取部６３において、媒体９５に照射する光は、可視光に限らない。
【０１６６】
・読取機能部６０は、媒体９５を読み取ってイメージデータを生成する構成に限られない。読取部６３として、媒体９５の色を測定する測色部を備えていてもよい。
・読取機能部６０に代えて、少なくとも挿入口６１、搬送部６２（搬送ローラー６２２）、及び排出口６４を備えた処理部が設けられてもよい。処理部として、例えば、媒体を切断する切断機構や、媒体の表面を加工するラミネーターが設けられてもよい。
【０１６７】
・読取部６３は、複数のＣＩＳモジュール８０を有することに限らない。読取部６３は、媒体９５の搬送経路のＸ軸方向における全幅にわたって延びる単一のＣＩＳモジュール８０を有する構成であってもよい。
【０１６８】
・読取部６３を構成するＣＩＳモジュール８０は、光源が赤色光、青色光、及び緑色光を切り替えながら媒体９５に照射し、受光素子が順番に切り替えられる光の色ごとに反射光を読み取る構成であってもよい。
【０１６９】
・読取部カバー６８の回動方向は、上記実施形態に限らない。読取部カバー６８のカバー軸６８３は、読取部カバー６８の＋Ｚ方向側の部分において、Ｘ軸方向に延びていてもよい。この場合、読取部カバー６８の開位置Ｐ２は、＋Ｚ方向側に回動した位置となる。読取部カバー６８のカバー軸６８３は、読取部カバー６８のＸ軸方向における両端部のうち何れかの端部において、Ｚ軸方向に沿って延びていてもよい。この場合、読取部カバー６８は、Ｙ軸方向に沿って回動可能になる。読取部カバー６８は、＋Ｘ方向側と−Ｘ方向側とに分割されていてもよい。この場合、分割された読取部カバー６８は、それぞれＺ軸方向又はＹ軸方向に沿って回動可能に支持されているとよい。このように、読取部カバー６８の第１位置及び第２位置は、読取部カバー６８を開閉可能とするための構造に応じて任意に変更できる。
【０１７０】
・読取部カバー６８は、Ｘ軸方向又はＺ軸方向にスライドするように開閉が可能な構成であってもよい。また、読取部カバー６８は、固定部６７から取り外し可能な構成であってもよい。
【０１７１】
・読取機能部６０は、読取部カバー６８が付勢機構８３を有し、固定部６７が読取部６３を有する構成であってもよい。読取機能部６０は、固定部６７及び読取部カバー６８の両方に読取部６３を有する構成であってもよい。即ち、読取機能部６０は、媒体９５の片面を読み取り可能に構成されていてもよく、両面を読取可能に構成されていてもよい。
【０１７２】
・印刷機能部１８は、ページ単位で印刷するページプリンターであってもよい。即ち、媒体９０は、長尺状のものに限定されず、短尺状のものであってもよい。
・印刷用の媒体９０と、読取用の媒体９５とは、同じ種類の媒体であってもよく、異なる種類の媒体であってもよい。
【０１７３】
・スキャナー装置１１において、挿入口６１は、印刷用の媒体９０を挿入するための挿入口として兼用される構成であってもよい。この場合、載置面１５は、印刷用の媒体９０のうち、挿入口６１に挿入されていない部分を載置できる点で便利である。また、載置面１５は、端末機器１０５を用いて、媒体９５の読み取り結果を確認するときに、端末機器１０５を載置できる点で便利である。
【０１７４】
・スキャナー装置１１は、脚部１３を備えていなくてもよい。
・スキャナー装置１１は、印刷機能部１８を備えていなくてもよい。即ち、スキャナー装置１１は、読取機能のみを有する単機能装置として構成されていてもよい。
【０１７５】
・スキャナー装置１１は、印刷機能、通信機能及び製版機能などのうち、任意の１又は複数の機能を有していてもよい。印刷機能は、印刷機能部１８によって実現できる。通信機能は、媒体９５を読み取って生成したイメージデータをローカルエリアネットワーク、インターネット、又は電気通信回線を介して送信する通信部を備えることにより実現できる。製版機能は、媒体９５を読み取って生成したイメージデータをもとに物理的に製版する製版部によって実現できる。
【符号の説明】
【０１７６】
１１…スキャナー装置、１２…本体部、１３…脚部、１４…筐体、１５…載置面、１５１…第１載置面、１５２…第２載置面、２１…左側面、２２…右側面、２４…後面、２３…前面、２５…上面、２６…下面、２８…外装体、２８１…左側面、２８２…右側面、２８３…前面、２８４…後面、２８５…上面、２８６…下面、２９…覗き窓、３１…覗き孔カバー、３１１…上面、３４…操作部、３５…収容部、４０…収容部カバー、４１…第１収容部カバー、４１１…軸部、４１２…外表面、４２…第２収容部カバー、４２１…軸部、４２２…外表面、４３…カバー支持部、４３１…左カバー支持部、４３２…右カバー支持部、５０…印刷部、５５…印刷用の排出口、６０…読取機能部、６１…挿入口、６２…読取用の搬送部、６２２…読取用の搬送ローラー、６３…読取部、６３１…読取位置、６４…読取用の排出口、６５…保持機構、６７…固定部、６８…読取部カバー、６８１…上面、６８２…前面、６８３…カバー軸、６８５…補助記号、７３…第１搬送機構、７７…第２搬送機構、８３…付勢機構、８３１…付勢面、９０…印刷用の媒体、９１…媒体ロール、９５…読取用の媒体、９５１…第１端部、９５２…第２端部、Ｄ１，Ｄ２…排出方向、Ｌ１，Ｌ２…寸法、Ｐ１…閉位置、Ｐ２…開位置。
【図１】
2019172427.tif 000003
【図２】
2019172427.tif 000004
【図３】
2019172427.tif 000005
【図４】
2019172427.tif 000006
【図５】
2019172427.tif 000007
【図６】
2019172427.tif 000008
【図７】
2019172427.tif 000009
【図８】
2019172427.tif 000010
【図９】
2019172427.tif 000011
【図１０】
2019172427.tif 000012
【図１１】
2019172427.tif 000013